(57)【要約】【課題】  物品を冷却する。【解決手段】  物品１００は、本体部分２０１、本体部分２０１の中の複数の隔壁２１０、隔壁２１０の各々に開口部２２０を含み、開口部２２０は、本体部分２０１の内面２０５に向かって流体を送る。複数の隔壁２１０は、隔壁２１０の１つにおける開口部２２０から流体を受け入れるように配列及び配置された、アップパスキャビティ２１１及びリユースキャビティ２１３を形成する。【選択図】      図１
2017106463.tif 000002
【特許請求の範囲】
【請求項１】
内面（２０５）及び外面（２０３）を有し、前記内面（２０５）が内部領域を定める本体部分（２０１）と、
各々が前記内部領域を横切って延びる、前記本体部分（２０１）の中の複数の隔壁（２１０）と、
前記複数の隔壁（２１０）の各々において、流体を前記本体部分（２０１）の前記内面（２０５）に向けて送るように配列及び配置された少なくとも１つの開口部（２２０）と、
を備える物品（１００）であって
前記複数の隔壁（２１０）は、少なくとも１つのアップパスキャビティ（２１１）及び少なくとも１つのリユースキャビティ（２１３）を形成し、前記少なくとも１つのリユースキャビティ（２１３）は、前記隔壁（２１０）の１つにおける前記少なくとも１つの開口部（２２０）から前記流体を受け入れるように配列及び配置される、物品（１００）。
【請求項２】
前記複数の隔壁（２１０）は、前記少なくとも１つのアップパスキャビティ（２１１）を定めるアップパス隔壁を備える、請求項１に記載の物品（１００）。
【請求項３】
前記少なくとも１つのアップパスキャビティ（２１１）は、第１のアップパスキャビティ（２１１）及び第２のアップパスキャビティ（２１１）を備える、請求項２に記載の物品（１００）。
【請求項４】
前記少なくとも１つのアップパスキャビティの各々は、前記物品（１００）の外部から流体を受け入れるように配列及び配置される、請求項２に記載の物品（１００）。
【請求項５】
前記複数の隔壁（２１０）は、少なくとも１つのリユース隔壁をさらに備え、前記少なくとも１つのリユース隔壁２１０の各々は、前記少なくとも１つのリユースキャビティの１つを定める、請求項２に記載の物品（１００）。
【請求項６】
前記アップパス隔壁を通過する前記流体を受け入れるように配列及び配置された第１のリユースキャビティ（213）をさらに備える、請求項５に記載の物品（１００）。
【請求項７】
前記アップパス隔壁の前記少なくとも１つの開口部220は、インピンジメント流体流れを生じるように配列及び配置され、前記第１のリユースキャビティ（２１３）は、前記インピンジメント流体流れから形成されるポストインピンジメント流体を受け入れるように配列及び配置される、請求項６に記載の物品（１００）。
【請求項８】
前記少なくとも１つのリユース隔壁（２１０）のうちの１つを通過する前記流体を受け入れるように配列及び配置された、少なくとも１つの追加のリユースキャビティ（２１３）をさらに備える、請求項６に記載の物品（１００）。
【請求項９】
前記リユース隔壁（２１０）の各々の前記少なくとも１つの開口部（２２０）は、インピンジメント流体流れを生じ、前記追加のリユースキャビティの各々は、前記インピンジメント流体流れから形成されるポストインピンジメント流体を受け入れるように配列及び配置される、請求項８に記載の物品（１００）。
【請求項１０】
前記第１のリユースキャビティ（２１３）及び前記少なくとも１つの追加のリユースキャビティ（２１３）は、前記物品（１００）の連続したインピンジメント冷却を可能にする、請求項８に記載の物品（１００）。
【請求項１１】
前記内面（２０５）と前記外面（２０３）との間に延びる通路（２３０）をさらに備える、前記通路（２３０）は、前記本体部分（２０１）を貫通する流体流れをもたらす、請求項１に記載の物品（１００）。
【請求項１２】
前記複数の隔壁（２１０）の少なくとも１つは複数の開口部（２２０）を含み、前記複数の開口部（２２０）は、前記流体を前記物品（１００）の正圧側面（２０９）及び負圧側面（２０８）に向かわせる、請求項１に記載の物品（１００）。
【請求項１３】
前記複数の開口部（２２０）は、前記物品（１００）の前記正圧側面（２０９）又は前記負圧側面（２０８）に向けて増量された流体を送るように配列及び配置される、請求項１２に記載の物品（１００）。
【請求項１４】
前記物品（１００）の前記正圧側面（２０９）に向けて増量された流体を送ることは、前記正圧側面（２０９）の高いインピンジメント冷却をもたらし、前記物品（１００）の前記負圧側面（２０８）に向けて増量された流体を送ることは、前記負圧側面（２０８）の高いインピンジメント冷却をもたらす、請求項１３に記載の物品（１００）。
【請求項１５】
前記複数の隔壁２１０のうちの１つに形成された前記開口部（２２０）の総計は、少なくとも１つの他の隔壁の形成された開口部２２０の総計とは異なる、請求項１に記載の物品（１００）。
【請求項１６】
前記複数の隔壁（２１０）の各々に形成された前記開口部（２２０）の総計は、所望の膜供給圧をもたらすように選択される、請求項１５に記載の物品（１００）。
【請求項１７】
前記複数の隔壁（２１０）の各々に形成された前記開口部（２２０）の総計は、所望の壁温度分布をもたらすように選択される、請求項１５に記載の物品（１００）。
【請求項１８】
物品（１００）であって、
内面（２０５）及び外面（２０３）を有し、前記内面（２０５）が内部領域を定める、本体部分（２０１）と、
各々が前記物品（１００）の正圧側面壁から負圧側面壁まで前記内部領域を横切って延び、前記内部領域の中にアップパスキャビティ（２１１）及び少なくとも１つのリユースキャビティ（２１３）を形成する、複数の一体隔壁（２１０）と、
前記一体隔壁（２１０）の各々に形成され、前記本体部分（２０１）の前記内面（２０５）に向かって流体を送るように配列及び配置された少なくとも１つの開口部（２２０）と、
を備え、
前記アップパスキャビティ（２１１）は、前記物品（１００）の外部から流体を受け入れるように配列及び配置され、
前記少なくとも１つのリユースキャビティの各々は、前記隔壁（２１０）のうちの１つの前記少なくとも１つの開口部（２２０）からポストインピンジメント流体を受け入れるように構成される、物品（１００）。
【請求項１９】
物品（１００）を冷却するための方法であって、
内面（２０５）及び外面（２０３）を有し、前記内面（２０５）が内部領域を定める、本体部分（２０１）と、
前記内部領域を横切って延び、前記内部領域の中にアップパスキャビティ（２１１）を形成するアップパス隔壁と、
前記内部領域を横切って延び、前記内部領域の中にリユースキャビティ（２１３）を形成するリユース隔壁と、
少なくとも１つの開口部（２２０）と、前記アップパス隔壁及び前記リユース隔壁の各々に形成され、前記本体部分（２０１）の前記内面（２０５）に向けて流体を送るように配列及び配置された少なくとも１つの開口部（２２０）と、
備える物品（１００）を準備する段階と、
流体を前記アップパスキャビティ（２１１）に送る段階と、
前記アップパス隔壁の前記少なくとも１つの開口部（２２０）通じて流体流れを発生させる段階と、
前記本体部分（２０１）の内面（２０５）に第１の流体流れを接触させる段階であって、前記内面（２０５）との接触が、前記内面（２０５）を冷却して第１のポストインピンジメント流体を形成する、段階と、
前記リユースキャビティ（２１３）の中に前記第１のポストインピンジメント流体を受け入れる段階と、
前記リユース隔壁の前記少なくとも１つの開口部（２２０）を通じてリユース流体流れを発生させる段階と、
前記本体部分（２０１）の前記内面（２０５）に前記リユース流体流れを接触させる段階であって、前記内面（２０５）との接触が、前記内面（２０５）を冷却してリユースポストインピンジメント流体を形成する、段階と、
を含み、
前記リユース流体流れは、前記少なくとも１つのリユースキャビティ（２１３）の中に受け入れられた前記第１のポストインピンジメント流体から生じる、方法。
【請求項２０】
前記内部領域を横切って延び、各々が前記内部領域の中に追加のリユースキャビティ（２１３）を形成しかつ内部に形成された少なくとも１つの開口部（２２０）を含む、少なくとも１つの追加のリユース隔壁を準備する段階と、
前記少なくとも１つの追加のリユース隔壁２１０の各々の中に前記リユースポストインピンジメント流体を連続して受け入れ、前記少なくとも１つの追加のリユース隔壁（２１０）の前記少なくとも１つの開口部（２２０）を通じて前記リユース流体流れを発生させ、前記本体部分（２０１）の前記内面（２０５）に、前記少なくとも１つの追加のリユースキャビティの各々からの前記リユース流体流れを接触させる段階と、
を含み、
前記少なくとも１つの追加のリユース隔壁（２１０）の各々の、前記少なくとも１つの開口部２２０を通る前記リユース流体流れは、前記追加のリユースキャビティ（２１３）の中に受け入れられた前記リユースポストインピンジメント流体から発生し、
前記リユースポストインピンジメント流体を受け入れ、前記リユース流体流れを発生させ、前記本体部分（２０１）の前記内面（２０５）に前記リユース流体を接触させる連続した段階は、前記物品（１００）の連続したインピンジメント冷却をもたらす、請求項１９に記載の方法。
【発明の詳細な説明】
【技術分野】
【０００１】
本発明は、物品及び物品を冷却する方法に関する。より具体的には、本発明は、冷却式物品及び冷却式物品を冷却する方法に関する。
【背景技術】
【０００２】
タービンシステムは、効率を高めかつコストを低減するように継続的に改修されている。タービンシステムの効率を高める１つの方法としては、タービンシステムの作動温度を高くすることを挙げることができる。温度を高くするために、タービンシステムは、連続作動時にこのような温度に耐える材料で構成する必要がある。
【０００３】
構成要素の材料及びコーティングを改修することに加えて、構成要素の温度性能を高める１つの共通の方法としては、冷却特徴部の使用を挙げることができる。例えば、多くのタービン構成要素は、内部キャビティの中に配置されたインピンジメントスリーブ又はインピンジメントプレートを含む。インピンジメントスリーブ又はプレートは、冷却流体をタービン構成要素の内面に向かわせて、タービン構成要素のインピンジメント冷却を可能にする複数の冷却通路を含む。しかしながら、タービン構成要素の中に位置決めするために別個の独立したインピンジメントスリーブを形成することは製造時間及びコストが増加する。加えて、インピンジメントスリーブは、典型的に、インピンジメントスリーブとタービン構成要素との間に有意な直交流を生じ、かつ同時に冷却通路の各々を通る流体流をもたらすために十分な冷却流体を必要とし、いずれもシステムの効率を低下させる。
【０００４】
タービン構成要素を冷却する他の方法としては、蛇行路冷却の利用を挙げることができる。蛇行路冷却は、冷却流体をタービン構成要素の中の通路を通過させて構成要素の正圧側壁及び負圧側壁の両方を同時に冷却する。両壁の同時冷却は、他方の壁を十分に冷却するために一方の壁の過剰な冷却をもたらす場合がある。一方の壁の過剰な冷却は、温度勾配、並びに不必要なヒートピックアップにつながり、いずれも下流冷却有効性及び冷却効率を低下させる。
【先行技術文献】
【特許文献】
【０００５】
【特許文献１】米国特許第８０７０４４２号明細書
【発明の概要】
【０００６】
１つの実施形態において、物品は、内面及び外面を有し、内面が内部領域を定める本体部分と、各々が内部領域を横切って延びる、本体部分の中の複数の隔壁と、複数の隔壁の各々において、流体を本体部分の内面に向かって送るように配列及び配置された少なくとも１つの開口部とを含む。複数の隔壁は、少なくとも１つのアップパスキャビティ及び少なくとも１つのリユースキャビティを形成し、少なくとも１つのリユースキャビティは、隔壁の１つにおける少なくとも１つの開口部から流体を受け入れるように配列及び配置される。
【０００７】
他の実施形態において、物品は、内面及び外面を有し、内面が内部領域を定める、本体部分と、各々が物品の正圧側面壁から負圧側面壁まで内部領域を横切って延び、内部領域の中にアップパスキャビティ及び少なくとも１つのリユースキャビティを形成する、複数の一体隔壁と、一体隔壁の各々に形成され、本体部分の内面に向けて流体を送るように配列及び配置された少なくとも１つの開口部と、を含む。アップパスキャビティは、物品の外部から流体を受け入れるように配列及び配置され、少なくとも１つのリユースキャビティの各々は、隔壁のうちの１つの少なくとも１つの開口部からポストインピンジメント流体を受け入れるように構成される。
【０００８】
別の実施形態において、物品を冷却するための方法は、内面及び外面を有し、内面が内部領域を定める本体部分と、内部領域を横切って延び、内部領域の中にアップパスキャビティを形成するアップパス隔壁と、内部領域を横切って延び、内部領域の中にリユースキャビティを形成するリユース隔壁と、アップパス隔壁及びリユース隔壁の各々に形成され、本体部分の内面に向けて流体を送るように配列及び配置された少なくとも１つの開口部とを備える物品を準備する段階と、流体をアップパスキャビティに送る段階と、アップパス隔壁の少なくとも１つの開口部通じて流体流れを発生させる段階と、本体部分の内面に第１の流体流れを接触させる段階であって、内面との接触が、内面を冷却して第１のポストインピンジメント流体を形成する、段階と、リユースキャビティの中に第１のポストインピンジメント流体を受け入れる段階と、リユース隔壁の少なくとも１つの開口部を通じてリユース流体流れを発生させる段階と、本体部分の内面にリユース流体流れを接触させる段階であって、内面との接触が、内面を冷却してリユースポストインピンジメント流体を形成する、段階と、を含む。リユース流体流れは、少なくとも１つのリユースキャビティの中に受け入れられた第１のポストインピンジメント流体から生じる。
【０００９】
本発明の他の特徴及び利点は、例証として本発明の原理を示す添付図面を参照しながら、以下のより詳細な説明から明らかになるであろう。
【図面の簡単な説明】
【００１０】
【図１】本開示の実施形態による、物品の正面斜視図。
【図２】本開示の実施形態による、図１の物品の線2-2に沿った断面図。
【図３】隔壁を取り除いた図２の断面図。
【図４】本開示の実施形態による、図２の物品の中の流れプロフィールの概略図。
【図５】本開示の別の実施形態による、図１の物品の線２−２に沿った断面図。
【発明を実施するための形態】
【００１１】
可能な限り、図面全体を通じて同じ要素を示すために同じ参照符号が使用される。
【００１２】
物品及び物品を冷却する方法が提供される。本開示の実施形態は、例えば、本明細書に開示された特徴部の１又は２以上が無いコンセプトに比べて、物品の過剰な冷却を低減し、物品の過剰な冷却に起因する冷却流体の温度上昇を低減し、冷却効率を高め、温度勾配の形成を低減し、下流冷却有効性を高め、冷却流体の再利用を促進し、高い冷却流分配制御を促進し、物品温度の高い安定性を可能にし、直交流を低減し、直交流勾配を低減し、物品寿命を延ばし、高いシステム温度の使用を促進し、システム効率を高め、膜供給圧に対する高い制御を可能にし、又はこれらを組み合わせたものをもたらす。
【００１３】
図１を参照すると、１つの実施形態において、物品１００は、限定されるものではないが、タービンバケット１０１又はブレードを含む。タービンバケット１０１は、根元部分１０３、プラットフォーム１０５、及び翼形部分１０７を有する。根元部分１０３は、タービンバケット１０１をロータホイール等のタービンシステムの中に固定するように構成される。加えて、根元部分１０３は、タービンシステムからの流体を受け入れ、この流体を翼形部分１０７に送るように構成される。本明細書ではタービンバケットに関して記載されているが、当業者であれば理解できるように、物品１００はタービンバケットに限定されず、中空構成要素、高温ガス通路構成要素、シュラウド、ノズル、ベーン、又はこれらを組み合わせたもの等の冷却流体を受け入れるのに適した何らかの他の物品を含むことができる。
【００１４】
翼形部分１０７の断面を示す図２に例示するように、物品１００は、外面２０３、内面２０５、及び内部に形成された１又は２以上の隔壁２１０を有する本体部分２０１を含む。１又は２以上の隔壁２１０の各々は、物品１００の第１の側面から物品１００の第２の側面まで内部領域２０７を横切って延び、さらに障壁を貫通して形成された少なくとも１つの開口部２２０を含む。例えば、１つの実施形態において、隔壁２１０の各々は、翼形部分１０７の負圧側面２０８の内面２０５から、翼形部分１０７の正圧側面２０９の内面２０５まで延びる。内面２０５及び該内面２０５で規定される内部領域２０７をより明瞭に示すために、図３は、図２の隔壁２１０を取り外した状態で翼形部分１０７を示す。
【００１５】
図２に戻ると、１又は２以上の隔壁２１０は、本体部分２０１と一体で及び／又は別体で形成することができる。１つの実施形態において、１又は２以上の隔壁２１０を本体部分２０１と一体形成すると、本体部分２０１と別体で形成して後で固定する１又は２以上の隔壁２１０と比較すると、１又は２以上の隔壁２１０と本体部分２０１との間の流体通路が減少するか又はなくなる。他の実施形態において、１又は２以上の隔壁２１０を本体部分２０１と一体形成すると、本体部分２０１と別体で形成して後で固定する１又は２以上の隔壁２１０と比較すると、ポストインピンジメントへの漏洩が減少するか又はなくなる。本体部分２０１及び／又は１又は２以上の隔壁２１０を形成するための適切な方法としては、限定されるものではないが、直接金属レーザー溶融（ＤＭＬＭ）、直接金属レーザー焼結（ＤＭＬＳ）、選択的レーザー溶融（ＳＬＭ）、選択的レーザー焼結（ＳＬＳ）、熱溶解積層造形（ＦＤＭ）、何らかの他の付加製造法、又はこれらの組み合わせを挙げることができる。
【００１６】
１又は２以上の隔壁２１０は、少なくとも１つのアップパス及び少なくとも１つのリユースキャビティ２１３を形成する。少なくとも１つのアップパスキャビティ２１１は、限定されるものではないが、根元部分１０３から翼形部分１０７に送られた流体といった、物品１００の外部から流体を受け入れるように配置される。リユースキャビティ２１３の各々は、限定されるものではないが、アップパスキャビティ２１１、及び／又はアップパスキャビティ２１１とリユースキャビティ２１３との間に何らかの他のリユースキャビティ２１３を形成する隔壁２１０の１又は複数の開口部２２０を通過する流体といった、１又は２以上の隔壁２１０の１又は複数の開口部２２０を通過する流体を受け入れるように構成される。例えば、図２に示すように、物品１００の外部からの流体は、順次、少なくとも１つのアップパスキャビティ２１１から、物品１００の少なくとも１つのアップパスキャビティ２１１と前縁２４０及び／又は後縁２５０との間の、１又は２以上のリユースキャビティ２１３の各々を通って移動する。
【００１７】
１つの実施形態において、物品１００は、内部領域２０７の中の隔壁２１０の１つによって形成された２つのアップパスキャビティ２１１を含む。他の実施形態において、一方のアップパスキャビティ２１１は前縁２４０に向かって延び、他方のアップパスキャビティ２１１は後縁２５０に向かって延びる。前縁２４０に向かって延びるアップパスキャビティ２１１、並びにアップパスキャビティ２１１と前縁２４０との間に形成された何らかのリユースキャビティ２１３は、前縁経路２４１を定める。後縁２５０に向かって延びるアップパスキャビティ２１１、並びにアップパスキャビティ２１１と後縁２５０との間に形成された何らかのリユースキャビティ２１３は、後縁経路２５１を定める。
【００１８】
前縁経路２４１及び後縁経路２５１の各々は、何らかの適切な数のリユースキャビティ２１３を含む。例えば、図２及び４に示すように、前縁経路２４１及び後縁経路２５１の両方は、２つのリユースキャビティ２１３を含む。他の実施例において、図５に示すように、前縁経路２４１は３つのリユースキャビティ２１３を含み、後縁経路２５１は２つのリユースキャビティ２１３を含む。当業者であれば理解できるように物品１００は前記の実施例に限定されるものではなく、何らかの他の適切な数のアップパスキャビティ２１１及び／又はリユースキャビティ２１３を含むことができ、前縁経路２４１及び後縁経路２５１は同じ又は異なる数のキャビティを有することができる。
【００１９】
図２、４、及び５を参照すると、１又は２以上の隔壁２１０の各々に成形された少なくとも１つの開口部２２０は、そこを通る流体流れをもたらす。１つの実施形態において、アップパスキャビティ２１１を形成する隔壁２１０の少なくとも１つの開口部２２０は、アップパスキャビティ２１１から１又は２以上のリユースキャビティ２１３までの流体流れをもたらす。他の実施形態において、リユースキャビティ２１３の各々を形成する隔壁２１０の少なくとも１つの開口部２２０は、リユースキャビティ２１３から１又は２以上の他のリユースキャビティ２１３への流体流れをもたらす。別の実施形態において、本体部分２０１は、その中に形成された１又は２以上の通路２３０を含み、通路２３０の各々は、流体を１つのアップパスキャビティ２１１及び／又は１つのリユースキャビティ２１３から外面２０３へ送るように構成されている。
【００２０】
各キャビティを通る流体流れをもたらすことに加えて、各隔壁２１０の開口部２２０の１又は２以上は、本体部分２０１の内面２０５に向かって流体を送るように構成されている。例えば、開口部２２０の各々は、内面２０５に向けられたインピンジメント流体流れを生じるように構成することができる。追加的に又は代替的に、１又は２以上の通路２３０の各々は、そこを通る流体からフィルム流を生じるように構成することができる。１又は２以上の開口部２２０及び／又は１又は２以上の通路２３０の適切な形状及び／又は幾何形状としては、限定されるものではないが、直線、湾曲、円形、略円形、半円形、山形、正方形、三角形、星形、不規則形、又はこれらの組み合わせを挙げることができる。
【００２１】
１つの実施形態において、１又は複数の開口部２２０は、所望の壁温度分布をもたらすように構成される。例えば、隔壁２１０は、負圧側面２０８又は正圧側面２０９のいずれかに向けられた比較的多い数の開口部２２０を含むことができ、１つの側面に向けられた比較的多い数の開口部２２０は、この側面のより良好な冷却を可能にする。追加的に又は代替的に、より多い数の開口部２２０は、他方の隔壁２１０と比較すると一方の隔壁２１０に形成することができ、より多い数の開口部２２０を含む隔壁２１０は、物品１００の対応する部分のより良好な冷却を可能にする。１又は複数の開口部２２０の構成によりもたらされる所望の壁温度は、物品１００の過剰な冷却を低減し、下流冷却効率を高め、システム性能を高め、構成要素の過剰な冷却領域以外によるフィルム冷却流の形成前の流体の不必要なヒートピックアップを低減し、物品寿命を延ばし、壁温度の変動を低減し、壁温度の均一性を高め、又はこれらを組み合わせたものをもたらす。
【００２２】
特定の実施形態において、リユースキャビティ２１３の各々は、アップパスキャビティ２１１及び／又はリユースキャビティ２１３を形成する隔壁２１０の１又は複数の開口部２２０からポストインピンジメント流体を受け入れるように構成される。本明細書で使用される場合、「ポストインピンジメント流体」は、本体部分２０１の内面２０５に向けられた流体を指し、内面２０５に接触又はインピンジメントする流体、並びに１又は２以上の開口部２２０を通って送られるが内面２０５に接触しない流体の両方を含む。例えば、図２に示す翼形部分１０７の２つのリユースキャビティ２１３は、第１のリユースキャビティ及び第２のリユースキャビティを構成する。アップパスキャビティ２１１と第２のリユースキャビティとの間の第１のリユースキャビティは、アップパスキャビティ２１１の１又は複数の開口部２２０を通じて生じるインピンジメント流体流れからのポストインピンジメント流体を受け入れるように構成される。第１のリユースキャビティと翼形部分１０７の前縁２４０との間に配置された第２のリユースキャビティは、第１のリユースキャビティの１又は複数の開口部２２０を通じて生じたインピンジメント流体流れからのポストインピンジメント流体を受け入れるように構成される。また、物品１００は、１又は２以上の追加のリユースキャビティを含むことができ、追加のリユースキャビティの各々は、何らかの上流キャビティを形成する隔壁２１０の１又は複数の開口部２２０からのポストインピンジメント流体を受け入れるように構成されており、この上流キャビティは、限定されるものではないが、アップパスキャビティ２１１、及び／又はアップパスキャビティ２１１と追加のリユースキャビティとの間に配置されたいずれかのリユースキャビティ２１３を含む。
【００２３】
本明細書に記載の１又は２以上の実施形態によれば、各リユースキャビティ２１３の隔壁２１０の１又は複数の開口部２２０を通じて生じるインピンジメント冷却流は、リユースキャビティ２１３が受け入れるポストインピンジメント流体から構成されるか又は実質的に構成される。例えば、図２、４、及び５に示される物品の前縁経路２４１において、第１のリユースキャビティは、アップパスキャビティ２１１から受け入れたポストインピンジメント流体で構成される又は実質的に構成される、その１又は複数の開口部２２０を通じてインピンジメント冷却流れを生じるように構成される。第２のリユースキャビティは、その１又は複数の通路２３０を通じてフィルム冷却流を生じるように（図２、４、及び５を参照）、及び／又は第１のリユースキャビティからのポストインピンジメント流体で構成される又は実質的に構成される、その１又は複数の開口部２２０を通じてインピンジメント冷却流れを生じるように（図５参照）構成される。本明細書で使用される場合、用語「実質的に構成される」とは、インピンジメント冷却流れが、少なくとも９０％のポストインピンジメント流体で構成されることを意味する。
【００２４】
ポストインピンジメント流体から構成される又は実質的に構成されるインピンジメント冷却流れを生じることで、リユースキャビティ２１３は、物品１００の連続したインピンジメント冷却を可能にする。物品１００の連続したインピンジメント冷却は、少なくとも１つのアップパスキャビティ２１１が受け入れた流体を実質的に又は完全に供給する１又は２以上の流路を含み、これにより物品１００の冷却効率が高くなり、物品１００に向けられる流体量が減少し、ポストインピンジメント流体流れが減少し、直交流縮小が減少し、フィルム孔圧力比に対する改善された制御をもたらすことで及び／又はフィルム列吹き出し比に対する改善された制御をもたらすことでフィルム冷却効率が改善する。
【００２５】
好ましい実施形態を参照しながら本発明を説明してきたが、本発明の範囲から逸脱することなく種々の変更を行うことができ且つ本発明の要素を均等物で置き換えることができる点は理解されるであろう。加えて、本発明の本質的な範囲から逸脱することなく、特定の状況又は物的事項を本発明の教示に適合するように多くの修正を行うことができる。従って、本開示は、本開示を実施するよう企図される最良の形態として開示した特定の実施形態に限定されるものではなく、本開示は請求項の範囲に属する全ての実施形態を含むことになるものとする。加えて、詳細な説明で特定される全ての数値は、厳密な値及び近似値の両方が明示的に特定されると解釈されるものとする。
【符号の説明】
【００２６】
１００  物品
１０１  タービンバケット
１０３  根元部分
１０５  プラットフォーム
１０７  翼形部分
２０１  本体部分
２０３  外面
２０５  内面
２０７  内部領域
２０８  負圧側面
２０９  正圧側面
２１０  隔壁
２１１  アップパスキャビティ
２１３  リユースキャビティ
２２０  開口部
２３０  通路
２４０  前縁
２４１  前縁経路
２５０  後縁
２５１  後縁経路
【図１】
2017106463.tif 000003
【図２】
2017106463.tif 000004
【図３】
2017106463.tif 000005
【図４】
2017106463.tif 000006
【図５】
2017106463.tif 000007
【外国語明細書】
2017106463000001.pdf